(57)【要約】【解決手段】互いに開閉動し得るように回動中心部１１で回動可能に支持した両把持腕１，２にはそれらの間の回動中心部１１に対し離間する位置でそれぞれ指掛環５，１０の力点部５ａ，１０ａを設け、この両把持腕１，２のうち固定把持腕１に対し両まつ毛挟持部１３，１４を互いに接離し得るように相対移動可能に支持し、この両把持腕１，２のうち可動把持腕２にはその力点部１０ａと固定把持腕１に対する回動中心部１１との間に伝動レバー２０を回動中心部２１で回動可能に支持し、両把持腕１，２の開閉動に伴いその伝動レバー２０を介して両まつ毛挟持部１３，１４を固定把持腕１で接離し得る。【効果】まつ毛カール器において、使用時に顔面に面する固定把持腕１に対する顔面側領域とその反対側領域とのうち顔面の反対側領域で、両まつ毛挟持部１３,１４を互いに接離し得る両把持腕１，２の開閉動リンク機構をコンパクトにまとめることができる。【選択図】図１
2005304852.tif 000002
【特許請求の範囲】
【請求項１】
互いに開閉動し得るように回動中心部で回動可能に支持した両把持腕にはそれらの間の回動中心部に対し離間する位置でそれぞれ力点部を設け、この両把持腕のうち第一の把持腕に対し両まつ毛挟持部を互いに接離し得るように相対移動可能に支持し、この両把持腕のうち第二の把持腕にはその力点部と第一の把持腕に対する回動中心部との間に伝動レバーを回動中心部で回動可能に支持し、両把持腕の開閉動に伴いその伝動レバーを介して両まつ毛挟持部を第一の把持腕で接離し得ることを特徴とするまつ毛カール器。
【請求項２】
前記両まつ毛挟持部のうち、一方のまつ毛挟持部は第一の把持腕で移動不能に固定された固定側まつ毛挟持部であり、他方のまつ毛挟持部は第一の把持腕で移動可能に支持されて一方のまつ毛挟持部に対し接離し得る可動側まつ毛挟持部であることを特徴とする請求項１に記載のまつ毛カール器。
【請求項３】
前記第一の把持腕は、可動側まつ毛挟持部を固定側まつ毛挟持部に対し接離し得るように可動側まつ毛挟持部の摺動部を摺動可能に支持し得る摺動支持腕部を有していることを特徴とする請求項２に記載のまつ毛カール器。
【請求項４】
前記第一の把持腕は、前記摺動支持腕部を有する把持腕本体と、顔面に面する両まつ毛挟持部の当接面側に対する反対側へこの把持腕本体から突出する回動支持腕部とを備え、前記両把持腕間の回動中心部はこの回動支持腕部に設けられていることを特徴とする請求項３に記載のまつ毛カール器。
【請求項５】
前記伝動レバーを可動側まつ毛挟持部に連結する連動部を設けたことを特徴とする請求項３または請求項４に記載のまつ毛カール器。
【請求項６】
前記連動部は、両把持腕間の回動中心部と第二の把持腕に対する伝動レバーの回動中心部とを結ぶ想定面と、第一の把持腕の摺動支持腕部に対する可動側まつ毛挟持部の摺動部の移動軌跡を含む想定面との間の領域に配設されていることを特徴とする請求項５に記載のまつ毛カール器。
【請求項７】
前記連動部は、両把持腕間の回動中心部と第二の把持腕に対する伝動レバーの回動中心部と第一の把持腕の摺動支持腕に対する可動側まつ毛挟持部の摺動部に対しそれぞれ離間した位置で、可動側まつ毛挟持部に設けた可動腕と伝動レバーとを互いに回動可能に支持する回動中心部を備えていることを特徴とする請求項５または請求項６に記載のまつ毛カール器。
【請求項８】
前記連動部は、可動側まつ毛挟持部の可動腕と伝動レバーとの間の回動中心部を案内規制部で移動可能に案内するガイドを第一の把持腕に備えていることを特徴とする請求項７に記載のまつ毛カール器。
【請求項９】
前記連動部のガイドにおいて可動側まつ毛挟持部の可動腕と伝動レバーとの間の回動中心部の移動方向は、第一の把持腕の摺動支持腕部に対する可動側まつ毛挟持部の摺動部の移動軌跡の方向に沿って設定されていることを特徴とする請求項８に記載のまつ毛カール器。
【発明の詳細な説明】
【技術分野】
【０００１】
本発明は、まつ毛カール器において両まつ毛挟持部を互いに接離し得る両把持腕の開閉動リンク機構に関するものである。
【背景技術】
【０００２】
下記特許文献１にも示す従来のまつ毛カール器においては、図５（ａ）（ｂ）に示すように、固定まつ毛挟持部１３と可動まつ毛挟持部１４とが支持された固定把持腕１に対し可動把持腕２が開閉動し得るように回動中心部１１で回動可能に支持され、両把持腕１，２の開閉動リンク機構で可動まつ毛挟持部１４の可動腕２４に可動把持腕２が回動中心部２５で回動可能に支持されている。可動把持腕２を固定把持腕１に対し開閉動させると、この両把持腕１，２の開閉動リンク機構を介して可動まつ毛挟持部１４が固定まつ毛挟持部１３に対し接離される。
【特許文献１】特開平１１−１７８６２９号公報
【発明の開示】
【発明が解決しようとする課題】
【０００３】
しかし、可動把持腕２において両把持腕１，２間の回動中心部１１から突出させた支持腕部２８で可動まつ毛挟持部１４の可動腕２４が回動中心部２５により回動可能に支持されているので、使用時に顔面に面する固定把持腕１に対する顔面側領域とその反対側領域とのうち顔面側領域へ、両把持腕１，２の開閉動リンク機構が突出して嵩張る問題があった。
【０００４】
この発明は、まつ毛カール器において両まつ毛挟持部を互いに接離し得る両把持腕の開閉動リンク機構をコンパクトにまとめることを目的としている。
【課題を解決するための手段】
【０００５】
後記実施形態の図面（図１〜４）の符号を援用して本発明を説明する。
請求項１の発明にかかるまつ毛カール器は下記のように構成されている。
両把持腕（１，２）が互いに開閉動し得るように回動中心部（１１）で回動可能に支持されている。この両把持腕（１，２）にはそれらの間の回動中心部（１１）に対し離間する位置でそれぞれ力点部（５ａ，１０ａ）を設けている。この両把持腕（１，２）のうち第一の把持腕（１）に対し両まつ毛挟持部（１３，１４）を互いに接離し得るように相対移動可能に支持している。この両把持腕（１，２）のうち第二の把持腕（２）にはその力点部（１０ａ）と第一の把持腕（１）に対する回動中心部（１１）との間に伝動レバー（２０）を回動中心部（２１）で回動可能に支持している。両把持腕（１，２）の開閉動に伴いその伝動レバー（２０）を介して両まつ毛挟持部（１３，１４）を第一の把持腕（１）で接離し得る。例えば、両把持腕（１，２）は、顔面に面する両まつ毛挟持部（１３，１４）の当接面（１６，１７）に対し直交する方向（顔面に対し接近及び離間する方向）を含む想定面（Ｒ）に沿って開閉動し、両把持腕（１，２）の閉動に伴い両まつ毛挟持部（１３，１４）が互いに接近し、両把持腕（１，２）の開動に伴い両まつ毛挟持部（１３，１４）が互いに離間する。
【０００６】
請求項１の発明では、使用時に顔面に面する第一の把持腕（１）に対する顔面側領域とその反対側領域とのうち顔面の反対側領域で、伝動レバー（２０）を可動側まつ毛挟持部（１４）に対しコンパクトに連結することができる。
【０００７】
請求項１の発明を前提とする請求項２の発明において、前記両まつ毛挟持部のうち、一方のまつ毛挟持部は第一の把持腕（１）で移動不能に固定された固定側まつ毛挟持部（１３）であり、他方のまつ毛挟持部は第一の把持腕（１）で移動可能に支持されて一方のまつ毛挟持部（１３）に対し接離し得る可動側まつ毛挟持部（１４）である。例えば、この可動側まつ毛挟持部（１４）については、請求項３の発明のように摺動式にする以外に、回動レバーを利用した回動式に変更してもよい。請求項２の発明では、互いに接離し得る両まつ毛挟持部（１３，１４）の構造を簡単にすることができる。
【０００８】
請求項２の発明を前提とする請求項３の発明において、前記第一の把持腕（１）は、可動側まつ毛挟持部（１４）を固定側まつ毛挟持部（１３）に対し接離し得るように可動側まつ毛挟持部（１４）の摺動部（１５）を摺動可能に支持し得る摺動支持腕部（６）を有している。請求項３の発明では、互いに接離し得る両まつ毛挟持部（１３，１４）の構造を簡単にすることができるばかりではなく、顔面の反対側領域で伝動レバー（２０）を可動側まつ毛挟持部（１４）に対しより一層コンパクトに連結することができる。
【０００９】
請求項３の発明を前提とする請求項４の発明において、前記第一の把持腕（１）は、前記摺動支持腕部（６）を有する把持腕本体（３）と、顔面に面する両まつ毛挟持部（１３，１４）の当接面（１６，１７）側に対する反対側へこの把持腕本体（３）から突出する回動支持腕部（７）とを備えている。前記両把持腕（１，２）間の回動中心部（１１）はこの回動支持腕部（７）に設けられている。請求項４の発明では、第一の把持腕（１）の把持腕本体（３）から顔面の反対側へ離間させた位置で回動支持腕部（７）に対し両把持腕（１，２）間の回動中心部（１１）を支持しているので、顔面の反対側領域で伝動レバー（２０）を可動側まつ毛挟持部（１４）に対しより一層コンパクトに連結することができる。
【００１０】
請求項３または請求項４の発明を前提とする請求項５の発明においては、前記伝動レバー（２０）を可動側まつ毛挟持部（１４）に連結する連動部（２３）を設けている。請求項５の発明では、第二の把持腕（２）の開閉動を伝動レバー（２０）を介して可動側まつ毛挟持部（１４）に伝動することができる。
【００１１】
請求項５の発明を前提とする請求項６の発明において、前記連動部（２３）は、両把持腕（１，２）間の回動中心部（回動中心部１１の回動中心線１２ａ）と第二の把持腕（２）に対する伝動レバー（２０）の回動中心部（回動中心部２１の回動中心線２２ａ）とを結ぶ想定面（Ｐ）と、第一の把持腕（１）の摺動支持腕部（６）に対する可動側まつ毛挟持部（１４）の摺動部（１５）の移動軌跡（１５ａ）を含む想定面（Ｑ１，Ｑ２）との間の領域（Ｓ１，Ｓ２）に配設されている。請求項６の発明では、顔面の反対側領域で連動部（２３）をコンパクトにまとめることができる。
【００１２】
請求項５または請求項６の発明を前提とする請求項７の発明において、前記連動部（２３）は、両把持腕（１，２）間の回動中心部（１１）と第二の把持腕（２）に対する伝動レバー（２０）の回動中心部（２１）と第一の把持腕（１）の摺動支持腕部（６）に対する可動側まつ毛挟持部（１４）の摺動部（１５）とに対しそれぞれ離間した位置で、可動側まつ毛挟持部（１４）に設けた可動腕（２４）と伝動レバー（２０）とを互いに回動可能に支持する回動中心部（２５）を備えている。請求項７の発明では、連動部（２３）の構造を簡単にすることができる。
【００１３】
請求項７の発明を前提とする請求項８の発明において、前記連動部（２３）は、可動側まつ毛挟持部（１４）の可動腕（２４）と伝動レバー（２０）との間の回動中心部（２５）を案内規制部（２６）で移動可能に案内するガイド（７）を第一の把持腕（１）に備えている。請求項８の発明では、第一の把持腕（１）の摺動支持腕部（６）において可動側まつ毛挟持部（１４）の摺動部（１５）の移動を安定させることができる。
【００１４】
請求項８の発明を前提とする請求項９の発明において、前記連動部（２３）のガイド（７）で可動側まつ毛挟持部（１４）の可動腕（２４）と伝動レバー（２０）との間の回動中心部（２５）の移動方向は、第一の把持腕（１）の摺動支持腕部（６）に対する可動側まつ毛挟持部（１４）の摺動部（１５）の移動軌跡（１５ａ）の方向に沿って設定されている。ちなみに、この回動中心部（２５）の移動方向やこの摺動部（１５）の移動軌跡（１５ａ）の方向については、直線状であっても曲線状であってもよい。請求項９の発明では、伝動レバー（２０）から可動腕（２４）に与えられる力が、第一の把持腕（１）の摺動支持腕部（６）に対する可動側まつ毛挟持部（１４）の摺動部（１５）の移動抵抗として働きにくくなり、その摺動部（１５）の移動抵抗を軽減してこの摺動部（１５）をこの摺動支持腕部（６）で円滑に移動させることができる。
【００１５】
請求項８または請求項９の発明を前提とする第１０の発明において、前記可動側まつ毛挟持部（１４）の可動腕（２４）は棒材により形成され、前記ガイド（７）の案内規制部は長孔（２６）であり、前記連動部（２３）の回動中心部（２５）においては、この可動腕（２４）に設けた棒状支軸部（２７）がこの長孔（２６）を通して前記伝動レバー（２０）に挿通されてその支軸部（２７）を回動中心線（２７ａ）として伝動レバー（２０）が回動する。第１０の発明では、可動側まつ毛挟持部（１４）の可動腕（２４）を回り対偶として兼用しているため、連動部（２３）の回動中心部（２５）を簡単な構造にすることができる。
【発明の効果】
【００１６】
本発明は、まつ毛カール器において両まつ毛挟持部（１３,１４）を互いに接離し得る両把持腕（１，２）の開閉動リンク機構をコンパクトにまとめることができる。
【発明を実施するための最良の形態】
【００１７】
以下、本発明の一実施形態にかかるまつ毛カール器について図１〜４を参照して説明する。
前後両把持腕１，２のうち、顔面に近い位置で使用される前側の固定把持腕１（第一の把持腕）において、把持腕本体３は、棒材により折曲されて形成され、下端部に指掛環５（指掛環５の力点部５ａ）を有する柄部４と、この柄部４の上端部から上方へ二股状に延設されて後方へ（固定把持腕１側から可動把持腕２側へ）若干屈曲された案内部６ａを有する左右の摺動支持腕部６とを備えている。この固定把持腕１においては、柄部４と左右両摺動支持腕部６との境界付近で、板状のガイド７（回動支持腕部）が柄部４の内側に挟持されてかしめ軸８により取着され、この左右両摺動支持腕部６間の左右方向中央部で把持腕本体３から後方へ突出されている。
【００１８】
前後両把持腕１，２のうち、固定把持腕１よりも顔面から遠い位置で使用される後側の可動把持腕２（第二の把持腕）においては、下端部に指掛環１０（指掛環１０の力点部１０ａ）を有する柄部９が棒材により折曲されて形成されてその上端部９ａが後方へ（固定把持腕１側から可動把持腕２側へ）屈曲されている。この柄部９の上端部９ａの内側に前記ガイド７が挟持され、その柄部９が回動中心部１１で支軸１２によりその回動中心線１２ａを中心に回動可能に支持されて固定把持腕１の柄部４に対し前後方向へ開閉動し得る。この両柄部４，９の指掛環５，１０は両把持腕１，２間の回動中心部１１に対しそれぞれ所定距離Ｌ５，Ｌ１０（前記回動中心線１２ａと力点部５ａ，１０ａとの間の距離、例えば約５５ｍｍ）だけ離間している。
【００１９】
前記左右両摺動支持腕部６の案内部６ａの上端部間には固定側まつ毛挟持部１３がその案内部６ａに対し移動不能に固定されて架設されている。この固定側まつ毛挟持部１３よりも下方で、可動側まつ毛挟持部１４の左右両側に設けられた摺動部１５がこの左右両摺動支持腕部６の案内部６ａに対し上下方向へ摺動可能に支持されている。この固定側まつ毛挟持部１３と可動側まつ毛挟持部１４とはそれぞれ後方へ湾曲し、それらの前側には使用時に顔面に面する凹状の当接面１６，１７が形成されているとともに、固定側まつ毛挟持部１３の下側に形成された挟持面１８と、可動側まつ毛挟持部１４の上側に形成された挟持面１９（ゴム体の上面）とが相対向している。
【００２０】
前記可動把持腕２において、柄部９の上端部９ａが左右一対で二枚の伝動レバー２０間の内側に挟持され、その左右両伝動レバー２０が両把持腕１，２間の回動中心部１１と指掛環１０との間で回動中心部２１の支軸２２によりその回動中心線２２ａを中心に前後方向へ回動可能に支持されて前記把持腕本体３の左右両摺動支持腕部６へ向けて延設されている。両把持腕１，２間の回動中心部１１の回動中心線１２ａと可動把持腕２に対する伝動レバー２０の回動中心部２１の回動中心線２２ａとは所定距離Ｌ２２（例えば約１１ｍｍ）だけ互いに離間している。これらの回動中心線１２ａ，２２ａを結ぶ平坦な想定面Ｐ（両把持腕１，２の開閉動方向Ａを含む平坦な想定面Ｒに直交する想定面）と、固定把持腕１の左右両摺動支持腕部６に対する可動側まつ毛挟持部１４の摺動部１５の移動軌跡１５ａを含む平坦な想定面Ｑ１（上記想定面Ｒに直交する想定面）との間の領域Ｓ１には、左右両伝動レバー２０を可動側まつ毛挟持部１４に連結する連動部２３が配設されている。さらに、前記固定側まつ毛挟持部１３及び可動側まつ毛挟持部１４の凹状当接面１６，１７に沿った湾曲線１６ａ，１７ａと前記移動軌跡１５ａとを含み且つこの移動軌跡１５ａの方向へ延びる湾曲状想定面（前記平坦な想定面Ｑ１を後方へ凹状当接面１６，１７まで湾曲させた形状の想定面）をＱ２とした場合、その湾曲状想定面Ｑ２と前記想定面Ｐとの間の領域Ｓ２（前記領域Ｓ１の一部）に前記連動部２３が配設されている。
【００２１】
この連動部２３においては、前記ガイド７及び左右両伝動レバー２０のほかに、可動側まつ毛挟持部１４の下側で棒材がＶ状に折曲されて取着された可動腕２４を備え、この左右両伝動レバー２０と可動腕２４とが回動中心部２５で互いに回動可能に支持されている。このガイド７には固定把持腕１の左右両摺動支持腕部６に対する可動側まつ毛挟持部１４の摺動部１５の移動軌跡１５ａの方向にほぼ沿って直線状に延びる長孔２６（案内規制部）が形成されている。この回動中心部２５においては、左右両伝動レバー２０の横振れを防止すべく左右両伝動レバー２０間にガイド７が挟持され、前記各回動中心部１１，２１と可動側まつ毛挟持部１４の左右両摺動部１５とに対しそれぞれ離間した位置で、可動腕２４の下端部に形成された支軸部２７がガイド７の長孔２６を通して左右両伝動レバー２０に挿通され、その支軸部２７の軸心を回動中心線２７ａとして左右両伝動レバー２０が回動する。この長孔２６の延設方向は前記摺動部１５の移動軌跡１５ａの方向に対し平行になっていないが、それらを互いに平行にしてもよく、いずれにしても、その長孔２６と可動腕２４の支軸部２７との間には若干の遊びがあるため、可動腕２４の支軸部２７の移動方向と摺動部１５の移動軌跡１５ａの方向とが互いに平行になる。なお、長孔２６に支軸部２７を挿通する構成に代えて案内溝に案内突起を係合する構成にしてもよいし、伝動レバー２０を一枚にしてもよい。
【００２２】
使用時に、可動把持腕２は、顔面に面する両まつ毛挟持部１３，１４の当接面１６，１７に対し直交する方向（顔面に対し接近及び離間する方向）を含む想定面Ｒに沿って開閉動方向Ａへ開閉動する。可動把持腕２を開閉動方向Ａへ開くと、連動部２３を介して可動側まつ毛挟持部１４の左右両摺動部１５が左右両摺動支持腕部６の案内部６ａに沿って直線状に移動し、固定側まつ毛挟持部１３の挟持面１８に対し可動側まつ毛挟持部１４の挟持面１９が離間する。可動把持腕２を開閉動方向Ａへ閉じると、連動部２３を介して可動側まつ毛挟持部１４の左右両摺動部１５が左右両摺動支持腕部６の案内部６ａに沿って直線状に移動し、固定側まつ毛挟持部１３の挟持面１８に対し可動側まつ毛挟持部１４の挟持面１９が接近して当接する。その開閉動の際、連動部２３のガイド７において回動中心部２５の移動方向は、固定把持腕１の左右両摺動支持腕部６に対する可動側まつ毛挟持部１４の摺動部１５の移動軌跡１５ａの方向に沿う。また、可動把持腕２の柄部９において回動中心線１２ａと力点部１０ａとの間の距離Ｌ１０と回動中心線１２ａと伝動レバー２０の回動中心線２２ａとの間の距離Ｌ２２（＜Ｌ１０）との比率は適宜選定することができ、その選定に応じて、力点部１０ａに与えた力が拡大されて両まつ毛挟持部１３，１４に生じる挟持力が大きくなる。ちなみに、図５に示す従来のまつ毛カール器と本実施形態のまつ毛カール器とで前記比率を同一に設定する場合、本実施形態では従来のまつ毛カール器で必要な腕部２８に該当するものを必要としないため、使用時に顔面に面する固定把持腕１に対する顔面側領域とその反対側領域とのうち顔面の反対側領域で、左右両伝動レバー２０を可動側まつ毛挟持部１４に対しコンパクトに連結することができる。
【００２３】
なお、図４に示すように、前記ガイド７において長孔２６を前方へ（可動把持腕２側から固定把持腕１側へ）凸状に湾曲させるような曲線状に設けてもよく、その場合には可動把持腕２を開状態から閉状態にする当初で摺動部１５の移動速度が遅くなり、その後は摺動部１５の移動速度が当初の移動速度よりも増す。
【図面の簡単な説明】
【００２４】
【図１】本実施形態にかかるまつ毛カール器において閉状態を示す正面図である。
【図２】同じく開状態を示す正面図である。
【図３】（ａ）は図１の部分拡大側面図、（ｂ）は図１の部分拡大平面図である。
【図４】本実施形態の別例にかかるまつ毛カール器において閉状態を示す部分正面図である。
【図５】（ａ）は従来のまつ毛カール器において閉状態を示す正面図であり、（ｂ）は同じく開状態を示す正面図である。
【符号の説明】
【００２５】
１…固定把持腕（第一の把持腕）、２…可動把持腕（第二の把持腕）、３…把持腕本体、５…固定把持腕の把持環（力点部５ａ）、６…摺動支持腕部、７…ガイド（回動支持腕部）、１０…可動把持腕の把持環（力点部１０ａ）、１１…両把持腕間の回動中心部、１３…固定まつ毛挟持部、１４…可動まつ毛挟持部、１５…可動まつ毛挟持部の摺動部（移動軌跡１５ａ）、１６…固定まつ毛挟持部の当接面、１７…可動まつ毛挟持部の当接面、２０…伝動レバー、２１…伝動レバーの回動中心部、２３…連動部、２４…可動まつ毛挟持部の可動腕、２５…連動部の回動中心部、２６…長孔（案内規制部）、Ｐ…想定面、Ｑ１，Ｑ２…想定面、Ｓ１，Ｓ２…領域。
【図１】
2005304852.tif 000003
【図２】
2005304852.tif 000004
【図３】
2005304852.tif 000005
【図４】
2005304852.tif 000006
【図５】
2005304852.tif 000007